(57)【要約】【課題】簡単な構造で原稿読み取りの生産性を向上させることが可能である。【解決手段】給紙皿２０１からレジストローラ４１５まで原稿ｄを送出す給送経路Ｐ１と、この給送経路Ｐ１から原稿ｄを読取部４２２に搬送して原稿ｄの画像の読み取りを行なう読取経路Ｐ２と、この読取経路Ｐ２から画像ｄの読み取り後の原稿ｄを排紙皿３０１に排出する排紙経路Ｐ３と、両面に画像を有する原稿ｄを給送経路Ｐ１からスイッチバックして反転し読取経路Ｐ２へ送出し、片面の画像の読み取り後は読取経路Ｐ２からの原稿ｄを反転しないで反対の片面の画像の読み取りを行なうように読取経路Ｐ２へ送出す反転経路Ｐ４とを備える原稿搬送装置において、反転経路Ｐ４での原稿搬送速度を、読取経路Ｐ２での原稿読み取り時の原稿搬送速度より速くする制御手段５００を備える。【選択図】図２
2004043056.tif 000002
【特許請求の範囲】
【請求項１】
給紙皿からレジストローラまで原稿を送り出す給送経路と、この給送経路から原稿を読取部に搬送して原稿の画像の読み取りを行なう読取経路と、この読取経路から画像の読み取り後の原稿を排紙皿に排出する排紙経路と、両面に画像を有する原稿を前記給送経路からスイッチバックして反転し前記読取経路へ送出し、片面の画像の読み取り後は前記読取経路からの原稿を反転しないで反対の片面の画像の読み取りを行なうように前記読取経路へ送出す反転経路とを備える原稿搬送装置において、
前記反転経路での原稿搬送速度を、前記読取経路での原稿読み取り時の原稿搬送速度より速くする制御手段を備える原稿搬送装置。
【請求項２】
前記制御手段は、前記排紙経路での原稿搬送速度を、前記読取経路での原稿読み取り時の原稿搬送速度より速くすることを特徴とする請求項１に記載の原稿搬送装置。
【請求項３】
前記制御手段は、前記反転経路から原稿を前記読取経路へ送り出すタイミングで前記給送経路で次の原稿を前記レジストローラまで原稿を送り出すことを特徴とする請求項１に記載の原稿搬送装置。
【請求項４】
前記請求項１乃至請求項３のいずれか１項に記載の原稿搬送装置を備えてなることを特徴とする画像形成装置。
【発明の詳細な説明】
【０００１】
【発明の属する技術分野】
この発明は、電子写真複写機、プリンタ、ファクシミリ、これらの複数の機能を有する複合機や印刷機等の画像形成装置により画像を形成するために、原稿を搬送して画像読み込みを可能とする原稿搬送装置及び画像形成装置に関するものである。
【０００２】
【従来の技術】
このようなデジタル式の画像形成装置に備えられる原稿搬送装置では、給紙皿上に積載された原稿を１枚ずつ分離して搬送し、原稿の画像を読取部で読取可能なものがある。
【０００３】
このような原稿搬送装置では、原稿の両面画像の読み取りを行なう場合、図６に示すように、原稿ｄを給紙皿から給紙経路のレジストローラ１００まで送出し、所定のタイミングで反転経路へ送り、原稿ｄをスイッチバックして反転し読取経路へ送出し、片面の画像の読み取り、この読み取り後は読取経路からの原稿ｄを反転しないで反対の片面の画像の読み取りを行なうように読取経路へ送出している。
【０００４】
【発明が解決しようとする課題】
このように、原稿の裏側と表側の両面画像の読み取りを行なう場合、スイッチバックして反転する時の原稿搬送速度は、原稿読取時の原稿搬送速度と同じであり、スイッチバックして原稿を反転するのに時間を要する。
【０００５】
ところで、原稿の画像の読み取り速度は読取精度上一定の限界があり、読取速度を速くすることができず、分単位時間当たりの原稿読み取りに制限があり、生産性を向上させる上で大きな障害となっていた。
【０００６】
この発明は、かかる点に鑑みてなされたもので、簡単な構造で原稿読み取りの生産性を向上させることが可能な原稿搬送装置及び画像形成装置を提供することを目的としている。
【０００７】
【課題を解決するための手段】
前記課題を解決し、かつ目的を達成するために、この発明は、以下のように構成した。
【０００８】
請求項１に記載の発明は、給紙皿からレジストローラまで原稿を送り出す給送経路と、この給送経路から原稿を読取部に搬送して原稿の画像の読み取りを行なう読取経路と、この読取経路から画像の読み取り後の原稿を排紙皿に排出する排紙経路と、両面に画像を有する原稿を前記給送経路からスイッチバックして反転し前記読取経路へ送出し、片面の画像の読み取り後は前記読取経路からの原稿を反転しないで反対の片面の画像の読み取りを行なうように前記読取経路へ送出す反転経路とを備える原稿搬送装置において、
前記反転経路での原稿搬送速度を、前記読取経路での原稿読み取り時の原稿搬送速度より速くする制御手段を備える原稿搬送装置である。
【０００９】
この請求項１に記載の発明によれば、反転経路での原稿搬送速度を、読取経路での原稿読み取り時の原稿搬送速度より速くすることで、その分単位時間当たりの原稿読み取り枚数が多くなり、簡単な構造で原稿読み取りの生産性を向上させることができる。
【００１０】
請求項２に記載の発明は、前記制御手段は、前記排紙経路での原稿搬送速度を、前記読取経路での原稿読み取り時の原稿搬送速度より速くすることを特徴とする請求項１に記載の原稿搬送装置である。
【００１１】
この請求項２に記載の発明によれば、読取後は速く排紙でき、さらに簡単な構造で原稿読み取りの生産性を向上させることができる。
【００１２】
請求項３に記載の発明は、前記制御手段は、前記反転経路から原稿を前記読取経路へ送り出すタイミングで前記給送経路で次の原稿を前記レジストローラまで原稿を送り出すことを特徴とする請求項１に記載の原稿搬送装置である。
【００１３】
この請求項３に記載の発明によれば、反転経路から原稿を読取経路へ送り出すタイミングで次の原稿をレジストローラまで原稿を送り出すことで、簡単な構造で連続して原稿の読み取りができ生産性を向上させることができる。
【００１４】
請求項４に記載の発明は、前記請求項１乃至請求項３のいずれか１項に記載の原稿搬送装置を備えてなることを特徴とする画像形成装置である。
【００１５】
この請求項４に記載の発明によれば、請求項１乃至請求項３のいずれか１項に記載の原稿搬送装置を備え、その分単位時間当たりのコピ−枚数が多くなりコピーの生産性を向上させることができる。
【００１６】
【発明の実施の形態】
次に、この発明の原稿搬送装置を備えた画像形成装置の実施の形態を図面に基づいて説明するが、この発明は、この実施の形態に限定されない。
【００１７】
図１は用紙後処理装置ＦＳと原稿搬送装置ＤＦと画像読み取り装置（スキャナ）ＳＣとを装備した画像形成装置１の全体構成図である。
【００１８】
図示の画像形成装置本体１Ａは、画像処理部２、画像書き込み部３、画像形成部４、高圧電源部５、カセット給紙部６、定着装置７、排紙部８、自動両面コピーのための再搬送手段（ＡＤＵ）９を備えている。
【００１９】
画像形成装置本体１Ａの上部には、画像読み取り装置ＳＣと原稿搬送装置ＤＦが搭載されている。画像形成装置本体１Ａの図示の左上部の排紙部８側には、用紙後処理装置ＦＳが連結されている。
【００２０】
原稿搬送装置ＤＦの原稿台上に第１面を上向きにして載置された原稿ｄは、矢印方向に搬送され画像読み取り装置ＳＣの光学系により原稿の片面又は両面の画像が読みとられ、ＣＣＤイメージセンサＣ１に読み込まれる。
【００２１】
ＣＣＤイメージセンサＣ１により光電変換されたアナログ信号は、画像処理部２において、アナログ処理、Ａ／Ｄ変換、シェーディング補正、画像圧縮処理等を行った後、画像書き込み部３に信号を送る。
【００２２】
画像書き込み部３においては、半導体レーザからの出力光が画像形成部４の感光体ドラム４Ａに照射され、潜像を形成する。画像形成部４においては、帯電、露光、現像、転写、分離、クリーニング等の処理が行われ、カセット給紙部６から搬送された用紙Ｓに画像が転写される。画像を担持した用紙Ｓは、定着装置７により定着され、排紙部８から用紙後処理装置ＦＳに送り込まれる。或いは排紙路切り替え板８Ａにより再搬送手段９に送り込まれた片面画像処理済みの用紙Ｓは、再び画像形成部４において両面画像処理された後、排紙部８の排紙ローラ８Ｂにより用紙後処理装置ＦＳに送り込まれる。
【００２３】
用紙後処理装置ＦＳは、画像形成装置本体１Ａの左上部に着脱可能に装着される。用紙後処理装置ＦＳは、用紙搬送手段１０、排紙手段２０、後処理手段３０、昇降排紙手段４０からなり、これらは用紙後処理装置本体４５に配置される。
【００２４】
図１において、画像形成装置本体１Ａ内の右寄り側には、画像形成部４を中心にして、画像形成装置本体１Ａの高さ方向下方にカセット給紙部６が、上方に定着装置７、排紙部８が設けられている。この垂直配列構成により、ほぼ垂直方向の用紙搬送路▲１▼が形成される。カセット給紙部６から送り出された用紙Ｓは、この垂直上方の用紙搬送路▲１▼に沿って搬送されて画像形成装置本体１Ａ外に排出される。
【００２５】
この垂直方向用紙搬送路▲１▼にほぼ平行して、再搬送手段９による用紙搬送路▲２▼が形成されている。
【００２６】
上記の垂直方向の用紙搬送路▲１▼、▲２▼を形成することにより、カセット給紙部６から排紙部８に至る最短距離の用紙搬送路が構成される。
【００２７】
画像形成装置本体１Ａの図示の上方の空間部に用紙後処理装置ＦＳの用紙搬送手段１０が収容される。用紙搬送手段１０の用紙入口部１１は、画像形成装置本体１Ａの排紙部８の排紙ローラ８Ｂに接続する。また、この装着状態では、画像形成装置本体１Ａの図示の左上方の空間部に、用紙後処理装置ＦＳの排紙手段２０及び後処理手段３０が収容される。複数の排紙皿（ビンとも称す）４１と昇降駆動手段４２から成る昇降排紙手段４０は、後処理手段３０の図示左側に位置する。
【００２８】
次に、図２乃至図５に基づいて原稿搬送装置を説明する。図２は原稿搬送装置の断面図である。
【００２９】
原稿搬送装置ＤＦには、原稿給紙部２００、原稿排紙部３００及び原稿搬送部４００が配置されている。
【００３０】
原稿給紙部２００は、原稿を複数枚セット可能な給紙皿２０１を有し、この給紙皿２０１に原稿ｄが積層して載置される。原稿排紙部３００は、排紙皿３０１を有し、この排紙皿３０１は原稿給紙部２００の下方位置に配置されている。排紙皿３０１上には、原稿搬送部４００で片面が読み取られるように搬送され、または両面が読み取られるように搬送された原稿が排紙される。
【００３１】
この原稿搬送部４００には、給送経路Ｐ１、読取経路Ｐ２、排紙経路Ｐ３及び反転経路Ｐ４が備えられている。
【００３２】
この給送経路Ｐ１には、可動押圧板４１１、ピックアップローラ４１２、分離ローラ４１３、重送防止ローラ４１４が配置される。可動押圧板４１１は毎給紙時に上昇して原稿ｄをピックアップローラ４１２に押し当て分離ローラ４１３に原稿ｄを押圧し、分離ローラ４１３及び重送防止ローラ４１４により原稿ｄが１枚ずつ分離して搬送される。また、分離ローラ４１３及び重送防止ローラ４１４の下流側には、原稿ｄを検知してレジストするレジストセンサＳ１が配置されている。給送経路Ｐ１では、給紙皿２０１から原稿をレジストローラ４１５まで原稿ｄを送出して停止させる。
【００３３】
読取経路Ｐ２には、読取前搬送ローラ４２１、読取部４２２、読取押えローラ４２３及び読取後搬送ローラ４２４が配置されている。読取前搬送ローラ４２１の下流側には一時停止センサＳ２が配置されている。読取経路Ｐ２では、給送経路Ｐ１から原稿ｄを読取部４２２に搬送して原稿ｄの画像の読み取りを行なう。
【００３４】
排紙経路Ｐ３には、排紙ローラ４４１及び排紙センサＳ３が配置され、片面読み取りの原稿は、片面の画像を読み取り、両面読み取りの原稿は、両面の画像を読み取り、読取経路Ｐ２から画像の読み取り後の原稿ｄを排紙皿３０１に排出する。
【００３５】
反転経路Ｐ４には、反転ローラ４３３が配置され、この反転ローラ４３３は正逆回転可能である。反転経路Ｐ４では、給送経路Ｐ１から搬送される両面に画像を有する原稿を反転ローラ４３３が正転して取り込み、逆転してスイッチバックし読取経路Ｐ２へ反転して送出し、片面の画像の読み取り後は読取経路Ｐ２からの原稿を反転ローラ４３３が正転して取り込み、逆転して原稿ｄを反転しないで反対の片面の画像の読み取りを行なうように読取経路Ｐ２へ送出す。
【００３６】
レジストローラ４１５の下流側には、入口ゲート４５１、スイッチバックゲート４５２及び読取ゲート４５３が配置されている。入口ゲート４５１は、給送経路Ｐ１から搬送される原稿ｄを反転経路Ｐ４と読取経路Ｐ２とに切り換える。スイッチバックゲート４５２は、給送経路Ｐ１から搬送される原稿ｄを読取経路Ｐ２に送り、また反転経路Ｐ４から搬送される原稿ｄを読取経路Ｐ２に送る。読取ゲート４５３は、給送経路Ｐ１から搬送される原稿ｄを反転経路Ｐ４に送り、また反転経路Ｐ４から搬送される原稿ｄを読取経路Ｐ２に送る。
【００３７】
給送経路Ｐ１に配置される可動押圧板４１１、ピックアップローラ４１２、分離ロ−ラ４１３、重送防止ローラ４１４及びレジストローラ４１５は、給紙モータＭ１で駆動される。また、読取経路Ｐ２に配置される読取前搬送ローラ４２１、読取押えローラ４２３及び読取後搬送ローラ４２４、さらに排紙経路Ｐ３に配置される排紙ローラ４４１は、読取モータＭ２で駆動される。また、反転経路Ｐ４に配置される反転ローラ４３３は、反転モータＭ３で駆動される。
【００３８】
さらに、反転ローラ４３３と排紙ローラ４４１との間には、フリーローラ４６０が配置されており、反転ローラ４３３がローラ圧着ソレノイドＳＤ１の駆動でフリーローラ４６０に圧着する。また、読取後搬送ローラ４２４の下流側には、排紙ゲート４６１が配置され、排紙ソレノイドＳＤ２の駆動で原稿ｄを排紙皿３０１側と反転ローラ側との切換を行なう。
【００３９】
これらの給紙モータＭ１、読取モータＭ２及び反転モータＭ３、さらにはローラ圧着ソレノイドＳＤ１及び排紙ソレノイドＳＤ２を、制御手段５００がレジストセンサＳ１、一時停止センサＳ２及び排紙センサＳ３の検知信号に基づき制御する。
【００４０】
次に、この実施の形態の原稿ｄの読み取りを、図３の原稿搬送の動作を示す図に基づいて説明する。
【００４１】
原稿ｄの両面の読み込みを行なう場合には、給紙モータＭ１を逆転駆動し、原稿ｄを給送経路Ｐ１に搬送し、レジストローラ４１５に原稿ｄの先端を突き当ててレジストセンサＳ１が原稿ｄを検知して給紙モータＭ１を停止し、図３（ａ）に示す状態になる。
【００４２】
そして、給紙モータＭ１及び反転モータＭ３を正転駆動するが、このとき入口ゲート４５１が反転経路側に切り換えられており、１枚目の原稿ｄを反転経路Ｐ４に搬送し、図３（ｂ）に示す状態になる。
【００４３】
給紙モータＭ１の正転駆動開始から所定時間後に、給紙モータＭ１を逆転駆動し、２枚目の原稿ｄを給送経路Ｐ１に搬送し、レジストローラ４１５に原稿ｄの先端を突き当ててレジストセンサＳ１が原稿ｄを検知すると、給紙モータＭ１が逆転から正転駆動するとともに、反転モータＭ３が正転駆動する。
【００４４】
一方、反転モータＭ３の正転駆動開始から所定時間後に、反転モータＭ３を逆転駆動し、１枚目の原稿ｄを、反転経路Ｐ４から反転して裏面にして読取経路Ｐ２へ送出す。反転モータＭ３の逆転駆動と同時に読取モータＭ２を正転駆動し、１枚目の原稿ｄを読取経路Ｐ２に搬送し、読取部４２２で１枚目の原稿ｄの片面の裏面を読み取り、図３（ｃ）に示す状態になる。
【００４５】
そして、反転モータＭ３の正転駆動に切り換えて原稿ｄを読取経路Ｐ２から反転経路Ｐ４へ導き、図３（ｄ）に示す状態になる。
【００４６】
このとき、１枚目の原稿ｄの先端が一時停止センサＳ２で検知されると、反転ローラ４３３が駆動しなくなり、また１枚目の原稿ｄの先端が一時停止センサＳ２で検知されて排紙ゲ−ト４６１を反転ローラ４３３側に切り換える。
【００４７】
一時停止センサＳ２が原稿ｄを検知しなくなってから反転ローラ４３３を駆動可能にし、所定時間後に読取モータＭ２の駆動を停止し、反転モータＭ３を逆転駆動して反転経路Ｐ４へ導かれた原稿ｄを表面にして読取経路Ｐ２へ送出し、図３（ｅ）に示す状態になる。
【００４８】
読取経路Ｐ２へ送出された原稿ｄは、反転モータＭ３の逆転駆動と同時に読取モータＭ２を正転駆動し、１枚目の原稿ｄを読取経路Ｐ２に搬送し、読取部４２２で１枚目の原稿ｄの反対側の片面の表面を読み取り、図３（ｆ）に示す状態になる。
【００４９】
そして、排紙ゲ−ト４６１が排紙側に切り換えられているから排紙ローラ４４１によって原稿ｄを排紙皿３０１へ送り、図３（ｇ）に示す状態になる。
【００５０】
次に、この実施の形態の原稿ｄの読み取りを、図４は原稿搬送のフローチャート、図５の原稿搬送のタイミングチャートに基づいて説明する。
【００５１】
原稿ｄの両面の読み込みを行なう場合には、ステップａ１において、給紙モータＭ１を逆転駆動し、原稿ｄを給送経路Ｐ１にプレ搬送し、レジストローラ４１５に原稿ｄの先端を突き当ててレジストセンサＳ１が原稿ｄを検知し、所定時間ｔ１後に給紙モータＭ１が逆転から正転し、かつ反転モータＭ３を正転駆動する（ステップａ２，３）。
【００５２】
そして、レジストセンサＳ１が原稿ｄを検知して所定時間ｔ２後の原稿ｄの先端が反転ローラ４３３に到達する前に、ローラ圧着ソレノイドＳＤ１を駆動し（ステップａ４，５）、フリーローラ４６０に反転ローラ４３３に圧着して１枚目の原稿ｄを給送経路Ｐ１から反転経路Ｐ４に搬送する。
【００５３】
レジストセンサＳ１が原稿ｄを検知しなくなって所定時間ｔ３後に、給紙モータＭ１を正転から逆転駆動し（ステップａ６，７）、２枚目の原稿ｄを給送経路Ｐ１にプレ搬送する。
【００５４】
また、レジストセンサＳ１が原稿ｄを検知しなくなって所定時間ｔ４後に、反転モータＭ３を正転から逆転駆動し（ステップａ８，９）、この正転から逆転駆動してスイッチバック位置１のタイミングで読取モータＭ２を正転駆動し（ステップａ１０）、１枚目の原稿を反転経路Ｐ４から反転して裏面にして読取経路Ｐ２へ送り出す。
【００５５】
給紙モータＭ１の逆転駆動で２枚目の原稿ｄを給送経路Ｐ１にプレ搬送し、レジストローラ４１５に先端が突き当たり、レジストセンサＳ１が２枚目の原稿ｄを検知し、所定時間ｔ５後に給紙モータＭ１を停止する（ステップａ１１，１２）。
【００５６】
そして、１枚目の原稿ｄの先端が読取経路Ｐ２の一時停止センサＳ２で検知されると（ステップａ１３）、ローラ圧着ソレノイドＳＤ１の駆動を停止して反転ローラ４３３が駆動しなくなり（ステップａ１４）、また１枚目の原稿ｄの先端が一時停止センサＳ２で検知されて所定時間ｔ６後に排紙ソレノイドＳＤ２が駆動して排紙ゲ−ト４６１を反転ローラ４３３側に切り換える（ステップａ１５，１６）。
【００５７】
一時停止センサＳ２で検知されてから所定時間ｔ７経過後で、１枚目の原稿ｄの後端が読取位置を経過すると、反転モータＭ３を逆転駆動する（ステップａ１７，１８）。
【００５８】
そして、一時停止センサＳ２が原稿ｄを検知しなくなってから所定時間ｔ８後で、１枚目原稿ｄの後端が読取位置通過後にローラ圧着ソレノイドＳＤ１を駆動して反転ローラ４３３を駆動可能にし（ステップａ１９，２０）、原稿ｄを読取経路Ｐ２から反転経路Ｐ４へ導く。
【００５９】
このとき、反転モータＭ３の正転駆動の速度を速めて、一時停止センサＳ２が原稿ｄを検知しなくなってから所定時間ｔ９後に、先端スイッチバック位置２で正転から逆転駆動し（ステップａ２１）、また読取モータＭ２の正転駆動の速度を速めて読取後搬送ローラ４２４を通過後に駆動を停止し、一時停止センサＳ２が原稿ｄを検知しなくなってから所定時間ｔ１０後に正転駆動し（ステップａ２２）、反転経路Ｐ４へ導かれた原稿ｄを表面にして読取経路Ｐ２へ送り出す。
【００６０】
一時停止センサＳ２が原稿ｄを検知すると、ローラ圧着ソレノイドＳＤ１をＯＦＦし（ステップａ２３，２４）、反転モータＭ３の逆転駆動の速度を遅くして所定時間ｔ１１後に、２枚目の原稿先端が読取位置を通過して停止する（ステップａ２５）。
【００６１】
また、読取モータＭ２は読取前搬送ローラ４２１に到達前に増速が完了し、２枚目の原稿先端が一時停止センサＳ２を通過すると通常の速度にする（ステップａ２６）。
【００６２】
排紙センサＳ３がＯＮから所定時間ｔ１２経過後に、給紙モータＭ１の正転駆動と同時に反転モータＭ３を正転駆動し（ステップａ２７）、ステップａ４へ移行して同様に作動する。
【００６３】
この実施の形態では、制御手段５００の制御によって等倍時で原稿読み取り時には原稿搬送速度が以下のように設定されているが、これに限定されない。
【００６４】
給送経路Ｐ１でのプレ搬送の原稿搬送速度を２５０ｍｍ／ｓに設定され、反転経路Ｐ４でのスイッチバックでの原稿搬送速度を４６０ｍｍ／ｓに設定され、原稿読み取り時の原稿搬送速度を２３０ｍｍ／ｓに設定され、読取経路Ｐ２での原稿読み取り時の原稿搬送速度を２３０ｍｍ／ｓに設定され、排紙経路Ｐ３での原稿搬送速度を２３０ｍｍ／ｓに設定されている。
【００６５】
この反転経路Ｐ４でのスイッチバックでの原稿搬送速度を４６０ｍｍ／ｓとし、読取経路Ｐ２での原稿読み取り時の原稿搬送速度２３０ｍｍ／ｓとし、２倍の速度に設定している。原稿ｄの画像を等倍で読み取りの場合には、原稿読み取り時の原稿搬送速度２３０ｍｍ／ｓとしているが、１／２に縮小して原稿読み取り時には、原稿搬送速度４６０ｍｍ／ｓとしているから、反転経路Ｐ４のモータ等の駆動系と読取経路Ｐ２のモータ等の駆動系を同じ強度や耐久性とすることができ、設計が容易でかつ低コストになる。
【００６６】
このように、経路の長い反転経路Ｐ４での原稿搬送速度を、読取経路Ｐ２での原稿読み取り時の原稿搬送速度より速くすることで、その分単位時間当たりの原稿読み取り枚数が多くなり、簡単な構造で原稿読み取りの生産性を向上させることができる。
【００６７】
また、排紙経路Ｐ３での原稿搬送速度が、読取経路Ｐ２での原稿読み取り時の原稿搬送速度より速く設定してもよく、読取後は速く排紙でき、さらに簡単な構造で原稿読み取りの生産性を向上させることができる。
【００６８】
また、反転経路Ｐ４から原稿ｄを読取経路Ｐ２へ送り出すタイミングで次の原稿ｄをレジストローラ４１５まで原稿ｄを送り出すことで、簡単な構造で連続して原稿ｄの読み取りができ生産性を向上させることができる。
【００６９】
この実施の形態で原稿ｄの片面の読み込みを行なう場合には、給紙モータＭ１を逆転駆動して原稿ｄを給送経路Ｐ１に搬送し、レジストローラ４１５に原稿ｄの先端を突き当ててレジストセンサＳ１が原稿ｄを検知して所定時間ｔ１後に給紙モータＭ１を停止する。そして、給紙モータＭ１を正転駆動するが、このとき入口ゲート４５１が読取経路側に切り換えられており、原稿ｄが読取経路Ｐ２に搬送され、読取部４２２で原稿ｄの片面の表面を読み取る。この読み取りが行なわれた原稿ｄは、排紙経路Ｐ３から排紙皿３０１上に排紙される。
【００７０】
また、本発明の実施の形態では、複写機に接続した原稿搬送装置を示したが、プリンタ、ファクシミリ等の画像形成装置や、これらの複数の機能を有する複合機及び軽印刷機等と接続して使用する原稿搬送装置にも適用可能である。
【００７１】
【発明の効果】
前記したように、請求項１に記載の発明では、反転経路での原稿搬送速度を、読取経路での原稿読み取り時の原稿搬送速度より速くすることで、その分単位時間当たりの原稿読み取り枚数が多くなり、簡単な構造で原稿読み取りの生産性を向上させることができる。
【００７２】
請求項２に記載の発明では、読取後は速く排紙でき、さらに簡単な構造で原稿読み取りの生産性を向上させることができる。
【００７３】
請求項３に記載の発明では、反転経路から原稿を読取経路へ送り出すタイミングで次の原稿をレジストローラまで原稿を送り出すことで、簡単な構造で連続して原稿の読み取りができ生産性を向上させることができる。
【００７４】
請求項４に記載の発明では、請求項１乃至請求項３のいずれか１項に記載の原稿搬送装置を備え、その分単位時間当たりのコピ−枚数が多くなりコピーの生産性を向上させることができる。
【図面の簡単な説明】
【図１】用紙後処理装置と原稿搬送装置と画像読み取り装置を装備した画像形成装置の全体構成図である。
【図２】原稿搬送装置の断面図である。
【図３】原稿搬送の動作を示す図である。
【図４】原稿搬送のフローチャートである。
【図５】原稿搬送のタイミングチャートに基づいて説明する。
【図６】従来の原稿搬送装置の断面図である。
【符号の説明】
ＤＦ　原稿搬送装置
１　画像形成装置
１Ａ　画像形成装置本体
２０１　給紙皿
３０１　排紙皿
４１５　レジストローラ
４２２　読取部
５００　制御手段
ｄ　原稿
Ｐ１　給送経路
Ｐ２　読取経路
Ｐ３　排紙経路
Ｐ４　反転経路
【図１】
2004043056.tif 000003
【図２】
2004043056.tif 000004
【図３】
2004043056.tif 000005
【図４】
2004043056.tif 000006
【図５】
2004043056.tif 000007
【図６】
2004043056.tif 000008